(57)【要約】  【課題】  加熱調理器において，加熱庫内に熱風を強制的に循環させる際に，調理に効果的な熱風循環を行うことができること。  【解決手段】  加熱庫３を形成する背面壁の上下方向中央より上側の位置に設けられた吸込口７１と同下側の位置に設けられた吹出口７２とを連通して通風経路を形成する通風室５３と，通風室内５３に設けられ吸込口７１から吹出口７２へ空気を強制送風する遠心ファン５１と，通風室５３内及び／又は加熱庫３内において空気を加熱するヒータ４１とを備える。【選択図】図２
2005172319.tif 000002
【特許請求の範囲】
【請求項１】
加熱庫内の被調理物を熱風により加熱する加熱調理器において，
前記加熱庫を形成する側壁の上下方向中央より上側の位置に設けられた吸込口と同下側の位置に設けられた第１吹出口とを連通して通風経路を形成する通風室と，
前記通風室内に設けられ前記吸込口から前記第１吹出口へ空気を強制送風する送風手段と，
前記通風室内及び／又は前記加熱庫内において空気を加熱する加熱手段と，
を具備してなることを特徴とする加熱調理器。
【請求項２】
前記通風室が，前記吸込口及び前記第１吹出口と前記加熱庫を形成する側壁の上下方向中央より上側の位置に設けられた第２吹出口とを連通するものであり，
前記送風手段が，前記吸込口から前記第１吹出口及び前記第２吹出口へ空気を強制送風してなる請求項１に記載の加熱調理器。
【請求項３】
前記第１吹出口からの空気の吹出速度が，前記第２吹出口からの空気の吹出速度よりも大きいものである請求項２に記載の加熱調理器。
【請求項４】
前記第１吹出口からの空気の吹出速度が，前記第２吹出口からの空気の吹出速度の２倍よりも大きいものである請求項３に記載の加熱調理器。
【請求項５】
前記吹出口からの空気の吹出速度をＵ（ｍ／ｓ），前記加熱庫の容積をＶ（ｍ３）としたとき，次式を満たすものである請求項１〜４のいずれかに記載の加熱調理器。
【数１】
2005172319.tif 000007
【請求項６】
前記吹出口からの空気の吹出速度をＵ（ｍ／ｓ），前記加熱庫の容積をＶ（ｍ３）としたとき，次式を満たすものである請求項１〜５のいずれかに記載の加熱調理器。
【数２】
2005172319.tif 000008
【請求項７】
前記第１吹出口が，前記加熱庫の側壁の下端近傍に設けられてなる請求項１〜５のいずれかに記載の加熱調理器。
【請求項８】
前記第１吹出口の下端と前記通風室の下端とが略同じ高さである請求項７に記載の加熱調理器。
【請求項９】
前記第１吹出口からの空気の吹出速度をＵ（ｍ／ｓ），前記加熱庫の容積をＶ（ｍ３）としたとき，次式を満たすものである請求項７又は８のいずれかに記載の加熱調理器。
【数３】
2005172319.tif 000009
【請求項１０】
前記加熱手段が，前記通風室内の前記送風手段の下方における前記第１吹出口に至る空気の経路中に配置されてなる請求項１〜９のいずれかに記載の加熱調理器。
【請求項１１】
前記加熱手段が，前記第１吹出口の近傍に配置されてなる請求項１０に記載の加熱調理器。
【請求項１２】
前記加熱手段が，前記加熱庫内の天井面付近設けられてなる請求項１〜１１のいずれかに記載の加熱調理器。
【請求項１３】
前記吸込口及び前記第１吹出口が，前記加熱庫を開閉する扉と対向する壁以外の前記加熱庫の側壁に設けられてなる請求項１〜１２のいずれかに記載の加熱調理器。
【請求項１４】
前記送風手段が，クロスフローファンである請求項１〜１３のいずれかに記載の加熱調理器。
【請求項１５】
前記加熱庫を開閉する扉の開放状態を検知する扉開放検知手段と，
前記扉開放検知手段の検出結果に基づいて前記送風手段及び／又は前記加熱手段の作動禁止を制御する作動禁止制御手段と，
を具備してなる請求項１〜１４のいずれかに記載の加熱調理器。
【請求項１６】
前記加熱庫を開閉する扉をロックする扉ロック手段と，
前記送風手段及び／又は前記加熱手段の動作状態に基づいて前記扉ロック手段によるロックを制御するロック制御手段と，
を具備してなる請求項１〜１５のいずれかに記載の加熱調理器。
【発明の詳細な説明】
【技術分野】
【０００１】
本発明は，加熱庫内の被加熱物を熱風循環により加熱調理する加熱調理器に関するものである。
【背景技術】
【０００２】
従来，加熱庫内の被加熱物を熱風循環により加熱調理するコンベクションオーブン等の加熱調理器は，庫内の熱風を強制的に循環させるためのファン（以下，循環ファンという）を備え，該循環ファンにより，調理のスピードアップと庫内温度分布の均一化を図り，焼き性能（調理性能）を向上させている。このような加熱調理器は，例えば，特許文献１等に示されている。
このような加熱調理器は，使用時に庫内温度や調理時間等が設定される。加熱調理器は，その機種により，オーブン調理機能の他，電磁波加熱調理機能，誘電加熱調理機能，スチーム調理機能及びこれらの機能を複数併せ持つ複合調理機能等を有するものがある。
図１７に，従来の代表的な加熱調理器１の構成を表す正面透視図を示す。さらに，図１８には，加熱調理器１の側断面図を示す。
図１７に示すように，加熱調理器１は，断熱手段にて断熱処理を施された筐体２と，該筐体２内側に形成され，内部に被調理物９を収納する加熱庫３と，該加熱庫３内の被調理物９を加熱する手段であるヒータ４１と，加熱庫３内の空気を循環させるための遠心ファン５１とを具備している。
図１８に示すように，遠心ファン５１は，加熱庫３の背面側に隣接して設けられたファンケーシング５３内に配置され，加熱庫３とファンケーシング５３とを仕切る隔壁５３の中央付近及びその四隅近辺（両側端付近各々の上下両端付近）には，加熱庫３とファンケーシング５３とを連通する吸込口７１ａ及び吹出口７２ａが各々設けられている。
図１８中の矢印Ａ１，Ａ２は，加熱庫３内の空気（熱風）の流れを模式的に示すものである。矢印Ａ１，Ａ２に示すように，加熱庫３内の空気は，上下左右の中央付近に配置された遠心ファン５１前面の吸込口７１ａから吸い込まれた後，ファンケーシング５３内で遠心ファン５１の周囲に押し出される。さらに，遠心ファンの周囲に設けられたヒータ４１により加熱された後，ファンケーシング５３の四隅近辺に設けられた吹出口７２ａから加熱庫３内に吹き込まれる。
また，図２２は，前記加熱調理器１におけるヒータ４１の代わりに，その加熱庫３の天井面側にヒータ（以下，上部ヒータ４２という）を設けた従来の他の加熱調理器１’の側断面図を表す。
この加熱調理器１’は，例えばローストチキン等，主に上面の加熱が必要な被調理物を加熱調理するいわゆるロースト調理に対応するものである。これにより，上部ヒータ４２の輻射熱を利用した照り焼き調理によりローストチキン等をより好適に加熱調理できる。
【特許文献１】特公平７−１１１２５６号公報
【発明の開示】
【発明が解決しようとする課題】
【０００３】
しかしながら，前記従来の加熱調理器１，１’では，以下に示すように，加熱庫３内で調理に効果的な熱風循環を行うことができないという問題点があった。
即ち，前記従来の加熱調理器１，１’のように，吸込口７１ａを前記隔壁５３の中央付近に配置し，吹出口７２ａをその上下両側に配置した場合，加熱庫３内において，吸込口７１ａの高さより上側の領域と下側の領域との各々でほぼ独立した熱風循環（矢印Ａ１とＡ２）が生じる。このような熱風循環方式では，吸込口７１ａの高さの上下両側の領域間で熱気の強制交換がなされず，熱気の自然対流の影響により，上側（天面側）の領域で相対的に高温の熱気が，下側（底面側）の領域で相対的に低温の熱気が各々循環する傾向があった。このため，以下のような問題が生じていた。
例えば，スポンジケーキの加熱調理では，ケーキ中央の膨らみを増して食感を向上すべくケーキ底面付近を強く加熱する一方，ケーキ表面が焦げて固くなりすぎないようにケーキ上面付近は弱めに加熱するのが理想である。
これに対し，従来の加熱調理器１，１’の熱風循環方式では，その理想とは逆の加熱がなされるという問題が生じていた。しかもこの問題は，スポンジケーキのみならず，パンやシフォンケーキなどの，いわゆるベーク調理を行うものについて共通の問題である。
また，前記加熱調理器１’によるロースト調理においても，被調理物の上面に輻射熱を与えることはできるが，上部ヒータ４２によって熱せられた空気のほとんどは，図２２の矢印Ａ１に示すように，吸込口７１ａの高さより上側の領域でしか循環されず，熱気を加熱庫３内全域（特に，底面側領域）に効率的に行き渡らせることができない。その結果，熱気が循環する前に熱が主に天面から加熱庫３外に放熱される割合が高くなり，結果的にローストチキン等の下側を十分に加熱できないという問題が生じていた。
従って，本発明は上記事情に鑑みてなされたものであり，その目的とするところは，加熱庫内に熱風を強制的に循環させる際に，調理に効果的な熱風循環を行うことができる加熱調理器を提供することにある。
【課題を解決するための手段】
【０００４】
上記目的を達成するために本発明は，加熱庫内の被調理物を熱風により加熱する加熱調理器において，前記加熱庫を形成する側壁の上下方向中央より上側の位置に設けられた吸込口と同下側の位置に設けられた第１吹出口とを連通して通風経路を形成する通風室と，前記通風室内に設けられ前記吸込口から前記第１吹出口へ空気を強制送風する送風手段と，前記通風室内及び／又は前記加熱庫内において空気を加熱する加熱手段と，を具備してなることを特徴とする加熱調理器として構成されるものである。
これにより，前記加熱庫内において高温の空気（熱気）がその浮力により上昇し，さらにその熱気は強制的にかつ速やかに，前記通風室を経由して前記加熱庫内の下方に強制循環される。従って，前記加熱庫内において，相対的に天井面付近よりも底面付近の方を高温とすることができ，このような熱風循環は，各種加熱調理に効果的である。
【０００５】
また，前記通風室が，前記吸込口及び前記第１吹出口と前記加熱庫を形成する側壁の上下方向中央より上側の位置に設けられた第２吹出口とを連通するものであり，前記送風手段が，前記吸込口から前記第１吹出口及び前記第２吹出口へ空気を強制送風するものも考えられる。
これにより，前記第２吹出口から被調理物の側面への熱風吹き付けがなされ，被調理物の側面加熱をより好適に行うことができる。さらに，前記吸込口が前記加熱庫側壁の水平方向（左右方向）の中央部付近にある場合でも，前記第２吹出口をその側壁の両側付近に設ければ，前記第２吹出口からの吹出し気流により，前記加熱庫の左右両側壁付近での空気循環を促進することができる。
この場合，前記第２吹出口を設けたことによって上下方向の熱風循環を損なわないようにするためには，前記第１吹出口からの空気の吹出速度が，前記第２吹出口からの空気の吹出速度よりも大きいものであることが望ましい。
さらにこの場合，前記加熱庫内において，前記第２吹出口から前記吸込口への循環気流と，前記第１吹出口から前記吸込口への上下方向（下から上へ）の循環気流とが互いに干渉せずに，上下方向の循環気流を好適に実現するためには，前記第１吹出口からの空気の吹出速度が，前記第２吹出口からの空気の吹出速度の２倍よりも大きいものとすることが望ましい。
【０００６】
また，前記吹出口から吹き出された熱風が，前記加熱庫内を十分に循環せずに前記吸込へ直接的に流れるショートカットを生じさせないためには，前記吹出口からの空気の吹出速度をＵ（ｍ／ｓ），前記加熱庫の容積をＶ（ｍ3）としたとき，次の（１）式を満たすことが望ましい。
【数１】
2005172319.tif 000003
この場合，さらに次の（２）式（後述する１．６＜Ｆ＜４．９に相当）を満たせば，被調理物の回りにおいて流れの剥離等を起こすことなく熱風が流動するため，好適な加熱調理を行うことができる。
【数２】
2005172319.tif 000004
【０００７】
また，前記第１吹出口が，前記加熱庫の側壁の下端近傍に設けられたものであれば，熱風が前記加熱庫の底面に沿って吹き出されるので，相対的に高温な熱風をコアンダ効果によって底面付近に均等に行き渡らせることができる。
この場合，前記第１吹出口の下端と前記通風室の下端とが略同じ高さであれば，前記通風室の下端部分における空気の流れに巻き込み等の乱れが生じないので，前記吹出口から熱風をよりスムーズに送風することができる。
さらにこの場合，前記第１吹出口からの空気の吹出速度をＵ（ｍ／ｓ），前記加熱庫の容積をＶ（ｍ3）としたとき，次の（３）式（後述するＦ≧１に相当）を満たすものであれば，前記加熱庫内において比較的速くて大きく，かつ安定的な循環気流を生成することができる。
【数３】
2005172319.tif 000005
【０００８】
また，前記加熱手段が，前記通風室内の前記送風手段の下方における前記第１吹出口に至る空気の経路中に配置されたものであれば，前記加熱手段で加熱された高温の熱気が，前記通風室内の上端付近に滞留することなく速やかに前記吹出口へ送られる。これにより，前記通風室上端部からの放熱を防止し，熱効率の高い加熱を行うことができる。
この場合，前記加熱手段が，前記第１吹出口の近傍に配置されたものであれば，加熱された空気をより速やかに前記加熱庫内に送り出すことができるので，前記加熱庫内をより効率的に加熱することが可能となる。
【０００９】
また，前記加熱手段が，前記加熱庫内の天井面付近設けられたものであってもよい。
このようにローストチキン等の加熱調理に適した加熱手段の配置であっても，前記加熱庫内において，前記加熱手段によって加熱された高温の熱気が天井面付近に滞留することなく，強制的にかつ速やかに前記通風室を経由して前記加熱庫内の下方に強制循環され，被調理物の下方を効果的に加熱できる。
【００１０】
また，前記吸込口及び前記第１吹出口が，前記加熱庫を開閉する扉と対向する壁以外の前記加熱庫の側壁に設けられたものであれば，熱風が扉に向かって送風されないので，加熱中に利用者が誤って扉を開けた場合でも，利用者へ熱風が直接吹き付けられる危険を防止できる。さらに，危険防止の面に加え，加熱中に誤って扉が開かれた場合の熱損失を最小限にするという面でも有効である。
また，前記送風手段が，クロスフローファンであれば，遠心ファンを用いる場合に比べ，前記吸込口を側壁の水平方向の広い範囲に渡って設けることができるので，天井面付近の熱気を隅々までより効率的に前記吸込口から吸込むことができる。
【００１１】
また，前記加熱庫を開閉する扉の開放状態を検知する扉開放検知手段と，前記扉開放検知手段の検出結果に基づいて前記送風手段及び／又は前記加熱手段の作動禁止を制御する作動禁止制御手段と，を具備するものであれば，利用者が調理中に誤って扉を開けたときに熱風が利用者に吹き付けられる危険を防止できる。
また，前記加熱庫を開閉する扉をロックする扉ロック手段と，前記送風手段及び／又は前記加熱手段の動作状態に基づいて前記扉ロック手段によるロックを制御するロック制御手段と，を具備するものであればより安全である。
【発明の効果】
【００１２】
本発明によれば，加熱庫を形成する側壁の上下方向中央より上側の位置に設けられた吸込口と同下側の位置に設けられた第１吹出口とを連通して通風経路を形成する通風室を備え，前記吸込口から前記第１吹出口へ空気を強制送風されるため，加熱庫内において高温の空気（熱気）がその浮力により上昇し，さらにその熱気は強制的にかつ速やかに，前記通風室を経由して前記加熱庫内の下方に強制循環される。従って，前記加熱庫内において，相対的に天井面付近よりも底面付近の方を高温とすることができ，このような熱風循環は，各種加熱調理に効果的である。
また，前記通風室が，前記吸込口及び前記第１吹出口と前記加熱庫を形成する側壁の上下方向中央より上側の位置に設けられた第２吹出口とを連通するものであり，前記送風手段が，前記吸込口から前記第１吹出口及び前記第２吹出口へ空気を強制送風するものであれば，前記第２吹出口から被調理物の側面への熱風吹き付けがなされ，被調理物の側面加熱をより好適に行うことができる。さらに，前記吸込口が前記加熱庫側壁の水平方向（左右方向）の中央部付近にある場合でも，前記第２吹出口をその側壁の両側付近に設ければ，前記第２吹出口からの吹出し気流により，前記加熱庫の左右両側壁付近での空気循環を促進することができる。
また，前記第１吹出口が，前記加熱庫の側壁の下端近傍に設けられたものであれば，熱風が前記加熱庫の底面に沿って吹き出されるので，相対的に高温な熱風をコアンダ効果によって底面付近に均等に行き渡らせることができる。
また，前記加熱手段が，前記通風室内の前記送風手段の下方における前記第１吹出口に至る空気の経路中に配置されたものであれば，前記加熱手段で加熱された高温の熱気が，前記通風室内の上端付近に滞留することなく速やかに前記吹出口へ送られる。これにより，前記通風室上端部からの放熱を防止し，熱効率の高い加熱を行うことができる。
また，前記吸込口及び前記第１吹出口が，前記加熱庫を開閉する扉と対向する壁以外の前記加熱庫の側壁に設けられたものであれば，熱風が扉に向かって送風されないので，加熱中に利用者が誤って扉を開けた場合でも，利用者へ熱風が直接吹き付けられる危険を防止できる。さらに，危険防止の面に加え，加熱中に誤って扉が開かれた場合の熱損失を最小限にするという面でも有効である。
また，前記送風手段が，クロスフローファンであれば，遠心ファンを用いる場合に比べ，前記吸込口を側壁の水平方向の広い範囲に渡って設けることができるので，天井面付近の熱気を隅々までより効率的に前記吸込口から吸込むことができる。
また，前記加熱庫を開閉する扉の開放状態を検知する扉開放検知手段と，前記扉開放検知手段の検出結果に基づいて前記送風手段及び／又は前記加熱手段の作動禁止を制御する作動禁止制御手段と，を具備するものであれば，利用者が調理中に誤って扉を開けたときに熱風が利用者に吹き付けられる危険を防止できる。
また，前記加熱庫を開閉する扉をロックする扉ロック手段と，前記送風手段及び／又は前記加熱手段の動作状態に基づいて前記扉ロック手段によるロックを制御するロック制御手段と，を具備するものであればより安全である。
【発明を実施するための最良の形態】
【００１３】
以下添付図面を参照しながら，本発明の実施の形態について説明し，本発明の理解に供する。尚，以下の実施の形態は，本発明を具体化した一例であって，本発明の技術的範囲を限定するものではない。
ここに，図１は本発明の第１の実施の形態に係る加熱調理器Ｘ１の構成を示す正面透視図，図２は加熱調理器Ｘ１の構成を示す側断面図，図３は加熱調理器Ｘ１が備えるファンケーシング及び遠心ファン並びにヒータのみを抽出して表した正面図，図４は本発明の第２の実施の形態に係る加熱調理器Ｘ２の構成を示す正面透視図，図５は加熱調理器Ｘ２の構成を示す側断面図，図６は加熱調理器Ｘ２の変形例である加熱調理器Ｘ２’の側断面図，図７は本発明の第３の実施の形態に係る加熱調理器Ｘ３の構成を示す正面透視図，図８は加熱調理器Ｘ３の側断面図，図９は加熱調理器Ｘ３が備えるファンケーシング及び遠心ファン並びにヒータのみを抽出して表した正面図，図１０は加熱調理器Ｘ３の変形例である加熱調理器Ｘ３’の側断面図，図１１は本発明の第４の実施の形態に係る加熱調理器Ｘ４の構成を示す正面透視図，図１２は加熱調理器Ｘ４の側断面図，図１３は本発明の第５の実施の形態に係る加熱調理器Ｘ５の構成を示す正面透視図，図１４は本発明の第６の実施の形態に係る加熱調理器Ｘ６の構成を示す正面透視図，図１５は加熱調理器Ｘ６の側断面図，図１６は本発明の第７の実施の形態に係る加熱調理器Ｘ７の構成を示す正面透視図，図１７は従来の加熱調理器１の構成を表す正面透視図，図１８は加熱調理器１の側断面図，図１９は加熱調理器Ｘ１における吹出口からの吹出気流の風速と庫内温度差との関係を表すグラフ，図２０は加熱調理器Ｘ１における吹出口からの吹出気流の風速と騒音との関係を表すグラフ，図２１は加熱調理器Ｘ７における吹出口からの吹出気流の風速バランスと庫内温度差との関係を表すグラフ，図２２は従来の加熱調理器１’の側断面図である。
【００１４】
（第１の実施の形態）
本発明の第１の実施の形態に係る加熱調理器Ｘ１は，加熱庫内の被調理物を熱風により加熱調理するものである。
図１は，加熱調理器Ｘ１の構成を示す正面透視図，図２は加熱調理器Ｘ１の側断面図を各々表す。
図１に示すように，加熱調理器Ｘ１は，断熱材を内包する等により断熱処理が施され，前面に開口が形成されるともに残り５面を囲う筐体２と，該筐体２の前面開口を閉塞又は解放できるよう開閉自在に設けられ，断熱処理が施された断熱扉２１とを備えている。
前記筐体２の内側には，被調理物９を収容する加熱庫３が形成され，前記断熱扉２１を閉じることにより，前記加熱庫３が略密閉される。
前記筐体２は，前記加熱庫３を形成する側壁の１つである背面側の側壁（以下，背面壁３１という）には，上下方向中央より上側の位置に吸込口７１が，同下側の位置には吹出口７２が各々設けられている。そして，前記背面壁３１の背面側には，前記吸込口７１と前記吹出口７２（前記第１吹出口の一例）とを連通して通風経路を形成する通風室であるファンケーシング５３が設けられている。
図１は，前記背面壁３１の背面側を透視図としている。
前記ファンケーシング５３（前記通風室）内には，前記吸込口７１に対応する背面側の位置に遠心ファン５１が設けられている。この遠心ファン５１（前記送風手段の一例）が回転することにより，加熱庫３内の空気が前記吸込口７１から吸い込まれ，その空気が前記吸込口７１から前記吹出口７２（第１吹出口）強制送風される。これにより，前記加熱庫３内の被調理物９が熱風により加熱調理される。
【００１５】
前記吸込口７１は前記背面壁３１の中央よりも上側に複数のパンチング穴の集合体として略円形状に形成されている。
また，前記吹出口７２前記背面壁３１の中央よりも下側に複数のパンチング穴の集合体として矩形状に形成されている。なお，前記吸込口７１及び前記吹出口７２を構成するパンチング穴の直径は，例えば約２ｍｍ程度とすることが考えられる。
また，前記ファンケーシング５３内には，前記遠心ファン５１の周囲に，空気を加熱するヒータ４１（前記加熱手段の一例）が設けられ，これによって加熱された空気が熱風として前記吹出口７２から前記加熱庫３内に吹き出される。
さらに，加熱調理器Ｘ１は，図２に示すように，前記ファンケーシング５３に軸支された前記遠心ファン５１を駆動するモータ５２を具備している。
【００１６】
また，加熱調理器Ｘ１は，図１に示すように，その前面に利用者からの調理指示に関する指令を入力する操作部８１と，その内部に前記操作部８１から入力された指令に応じて，加熱調理器Ｘ１が備える各機器を制御する制御部８とを具備している。
前記操作部８１はシートパネル，液晶表示装置等から構成され，前記制御部８は，ＣＰＵ及びこれにより実行される制御プログラムが記憶されるＲＯＭ並びにそれらの周辺機器等から構成される。
図３は，前記ファンケーシング５３，前記遠心ファン５１及び前記ヒータ４１のみを抽出して表した正面図である。
図３に示すように，前記遠心ファン５１は，前記ファンケーシング５３の左右中央部の上側略半分に渡る領域に位置し，該遠心ファン５１の周囲を取り囲むように略円状に前記ヒータ４１が設けられている。
【００１７】
利用者によって前記加熱庫３内に被調理物９が収容され，前記操作部８１に調理指令が入力されると，前記制御部８は，制御プログラムを実行することにより，操作部８１に入力された調理指令に基づいて前記モータ５２及びヒータ４１等を制御する。これにより，被調理物９が加熱調理される。
また，前記制御部８に，以下のような安全制御を行うプログラムも実行させるようにすればより好適である。
例えば，前記断熱扉２１の開閉を検知する開閉検知センサ（前記扉開放検知手段の一例，不図示）を設け，該開閉検知センサにより，前記断熱扉２１が閉状態でないことが検出されているときは，前記モータ５２及び前記ヒータ４１を作動させず，また，作動中である場合には作動を停止させる安全制御を前記制御部８（前記作動禁止制御手段の一例）よって実行するものである。前記開閉検知センサは，例えば，リミットスイッチ等で構成することができる。
その他，前記断熱扉２１の解放を禁止する電動式のロック機構（前記扉ロック手段の一例，不図示）を設け，前記モータ５２又は前記ヒータ４１の作動中（調理中）には，前記ロック機構をロック状態とし，調理中に誤って前記断熱扉２１が解放されないようにする安全制御を前記制御部８（前記扉ロック手段の一例）よって実行するものである。前記ロック機構は，例えば，ソレノイドアクチュエータ等で構成することができる。
【００１８】
次に，図２を用いて，加熱調理器Ｘ１における空気循環について説明する。図２において，太い矢印は空気の流れ方向を示している。
加熱調理器Ｘ１では，前記吸込口７１が，前記加熱庫３の高さ方向において中央より上側に，前記吹出口７２が同下側に設けられているため，前記加熱庫３の天面３４付近に滞留している熱気（加熱空気）は，前記遠心ファン５１の吸引力により，前記吸込口７１から前記ファンケーシング５３内へ吸い込まれる。さらに，その熱気は，前記ファンケーシング内において，前記遠心ファン５１によりその外側へ送り出されるため，前記ヒータ４１を経由しつつ下側に送られ，前記吹出口７２から前記加熱庫３内の底面３３付近に向けて吹き出される。
これにより，加熱庫３内において高温の空気（熱気）がその浮力により上昇し，さらにその熱気は強制的にかつ速やかに，前記ファンケーシング５３を経由して前記加熱庫３内の底面３３付近に強制循環される。このとき，前記ファンケーシング４１内で熱気がさらに加熱されるため，より高温の熱気を前記加熱庫３内の下側に送ることができる。
従って，前記加熱庫３内において，相対的に天面３４付近よりも底面３３付近の方を高温とすることができ，このような熱風循環は，各種加熱調理に効果的である。
例えば，スポンジケーキの加熱調理において，ケーキ中央の膨らみを増して食感を向上すべくケーキ底面付近を強く加熱する一方，ケーキ表面が焦げて固くなりすぎないようにケーキ上面付近は弱めに加熱するという理想の加熱を行うことができる。
さらに，従来のように，天面３４から前記加熱庫３外への熱の漏洩を抑えることができるので，高い熱効率が得られ省エネルギー化が図れる。
【００１９】
ところで，前記吹出口７２からの吹出気流の風速Ｕは，例えば，前記加熱庫３の容積が３０リットルの場合，Ｕ≧０．５（ｍ／ｓ）とすることが望ましい。
これよりも風速Ｕが遅くなった場合は，前記背面壁３１から前記断熱扉２１側への風速成分が小さくなり過ぎ，前記加熱庫３内の全域を熱気が十分に循環しないまま前記吸込口７１へ直接的に流れる，いわゆるショートカットが生じる恐れがある。
このショートカットを生じさせないためには，前記加熱庫３の容積をＶ（ｍ3），前記吹出口７２からの空気の吹出速度をＵ（ｍ／ｓ）とすると，次の（４）式（前記（１）式相当）を満たすことが望ましい。
【数４】
2005172319.tif 000006
この（１）式におけるＦは，物理的には理想的な熱風循環が起きている場合における単位時間当たりの循環回数を表す。
さらに，１．６＜Ｆ＜４．９を満たしていると，被調理物９の回りにおいて流れの剥離等を起こすことなく熱風が流動するため，好適な加熱調理を行うことができる。例えば，２＜Ｆ＜３とすることが考えられる。
一方，Ｆ＞２０の範囲では，流体騒音が極めて大きくなるため，Ｆ≦２０とすることが望ましい。さらに，Ｆ＞１０の範囲では気流が壁面に高速で衝突することによって空気の流れが乱れるため，Ｆ≦１０とすることが望ましい。
以下，これらの設定条件について説明する。
【００２０】
図１９は，加熱調理器Ｘ１における吹出口からの吹出気流の風速と庫内温度差との関係を表すグラフであり，横軸をＦの値，縦軸を庫内壁面の平均温度に対する調理物表面の平均温度の温度差ｄＴ１（「庫内壁面温度の平均値」−「調理物表面温度の平均値」）としたグラフである。
図１９からわかるように，Ｆ＜０．４では，奥壁近傍でショートサーキットを起こすため，調理物が気流によって加熱されず温度差ｄＴ１が非常に大きくなる。
また，０．４＜Ｆ＜１．０では，気流の庫内循環に伴う上昇気流が調理物の載置位置付近を通過するため，調理物周辺で流れの剥離が生じ，調理物下部と調理物上部とで気流の当たり方に偏りが生じることによって温度差ｄＴ１がやや大きい状態となる。
一方，１．０≦Ｆでは，循環気流が扉側も含め庫内全体に広がるため温度差ｄＴ１が比較的小さい状態となる。但し，１．０≦Ｆ＜１．６では，調理物の周辺での流れの剥離が若干影響を及ぼす関係上，１．６＜Ｆ＜４．９の状態に比べ，若干温度差ｄＴ１が大きい状態となる。
また，１．６＜Ｆ＜４．９では，庫内全体にわたる気流循環に伴って，調理物周辺において調理物の表面に沿う循環気流が生じるため，最も温度差ｄＴ１が小さくなる。
そして，４．９＜Ｆでは，循環気流の流速が速くなり過ぎて遠心力の影響で気流が庫内壁面のみに沿って流れ，調理物周辺において熱気が調理物表面に沿わなくなる。このため，Ｆ値が４．９より大きくなるほど温度差ｄＴ１が序所に大きくなる。
以上のことから，Ｆ＞０．４（即ち，（１）式，（４）式を満たす）とすることが望ましく，１．６＜Ｆ＜４．９（即ち，（２）式を満たす）とすることがより望ましい。
【００２１】
また，図２０は，加熱調理器Ｘ１における吹出口からの吹出気流の風速と騒音との関係を表すグラフであり，横軸をＦ値，縦軸を調理器正面における騒音レベル[dB]としたグラフである。
図２０のグラフは，１０≦Ｆ＜２０においては，扉への気流の衝突に伴う騒音が支配的となることを示している。
また，２０≦Ｆにおいては，吹出し気流の高速化により，吹出口付近での乱流騒音が支配的となることを示している。
従って，騒音面からは，乱流騒音防止のためには，Ｆ≦２０とすることが望ましく，さらに，扉への気流の衝突による騒音を防止するためには，Ｆ≦１０とすることが望ましいといえる。
ここで，前記吹出速度Ｕの設定は，前記遠心ファン５１の送風能力，前記ファンケーシング５３の容積，前記吸込口７１及び前記吹出口７２の開口面積等を調節することにより，前記ヒータ２１による加熱温度（空気の温度）を考慮した周知の圧損計算，風速計算に基づいて設計すればよい。このことは，以下同様である。
【００２２】
（第２の実施の形態）
次に，前記加熱調理器Ｘ１の変形例である第２の実施の形態に係る加熱調理器Ｘ２，Ｘ２’について説明する。
ここで，図４は加熱調理器Ｘ２の構成を示す正面透視図，図５は加熱調理器Ｘ２の側断面図を表す。
本加熱調理器Ｘ２は，前記加熱調理器Ｘ１と大部分の構成が共通しており，同一の構成要素については同一番号を付して説明を省略する。
図４及び図５に示すように，加熱調理器Ｘ２では，前記吹出口７２（前記第１吹出口の一例）が前記加熱調理器Ｘ１の場合よりもさらに低い位置である前記加熱庫３の前記背面壁３１の下端近傍に設けられている。
図５に示す太い矢印は，空気の流れを表す。
図５に示すように，前記吹出口７２を下端部近傍に設けることにより，熱風が前記加熱庫３の底面３３に沿って吹き出されるので，相対的に高温な熱風をコアンダ効果によって底面３３付近に均等に行き渡らせることができる。
また，図６は，図５に示した加熱調理器Ｘ２の変形例である加熱調理器Ｘ２’の側断面図を表す。この加熱調理器Ｘ２’は，加熱調理器Ｘ２における前記吹出口７２の下端と前記ファンケーシング５３（通風室）の下端とを同じ高さとしたものである。
図６に示すように，前記吹出口７２の下端と前記ファンケーシング５３の下端とを同じ高さとすると，前記ファンケーシング５３の下端部分における空気の流れに巻き込み等の乱れが生じないので，前記吹出口７２から熱風をよりスムーズに送風することができる。
【００２３】
ここで，加熱調理器Ｘ２，Ｘ２’において，（１）式のＦの値がＦ≧１となるように吹出風速を設定すると，図６の太い矢印線で示すように，前記加熱庫３内における循環気流が底面３３，断熱扉２１（即ち，対向する壁面），天面３４を伝って流れるようになる。このため，前記加熱庫３内において比較的速くて大きく，かつ安定的な循環気流を生成することができる。また，天面３４付近に滞留している高温の熱気をより広範囲にわたって，大きな循環気流により速やかに前記吸込口７１から吸い込むことができ，熱効率の高い加熱が可能となる。
【００２４】
（第３の実施の形態）
次に，前記加熱調理器Ｘ１の他の変形例である第３の実施の形態に係る加熱調理器Ｘ３，Ｘ３’について説明する。
ここで，図７は加熱調理器Ｘ３の構成を示す正面透視図，図８は加熱調理器Ｘ３の側断面図，図９は加熱調理器Ｘ３が備える前記ファンケーシング５３，前記遠心ファン５１及びヒータ４１ａのみを抽出して表した正面図を表す。
本加熱調理器Ｘ３は，前記加熱調理器Ｘ１と大部分の構成が共通しており，同一の構成要素については同一番号を付して説明を省略する。
図７〜図９に示すように，加熱調理器Ｘ３では，前記加熱調理器Ｘ１において前記遠心ファン５１の周囲に設けられていた前記ヒータ４１の代わりに，前記ファンケーシング５３内において，前記遠心ファン５１（送風手段）の下方における前記吹出口７２に至る空気の経路中に例えばコイル状のヒータ４１ａが配置されている。
このような構成により，前記ヒータ４１ａで加熱された高温の熱気が，前記ファンケーシング５３内の上端付近に滞留することなく速やかに前記吹出口７２へ送られる。これにより，前記ファインケーシング５３上端部からの放熱を防止し，熱効率の高い加熱を行うことができる。
また，図１０は，図８に示した加熱調理器Ｘ３の変形例である加熱調理器Ｘ３’の側断面図を表す。この加熱調理器Ｘ３’は，加熱調理器Ｘ３における前記ヒータ４１ａを，前記ファンケーシング５３内において前記吹出口７２近傍に（例えば，前記吹出口７２に対向する位置に）配置したものである。
このような位置に前記ヒータ４１ａを配置することにより，加熱された空気をより速やかに前記加熱庫３内に送り出すことができるので，前記加熱庫３内をより効率的に加熱することが可能となる。
【００２５】
（第４の実施の形態）
次に，前記加熱調理器Ｘ１の他の変形例である第４の実施の形態に係る加熱調理器Ｘ４について説明する。
ここで，図１１は加熱調理器Ｘ４の構成を示す正面透視図，図１２は加熱調理器Ｘ４の側断面図を表す。
本加熱調理器Ｘ４は，前記加熱調理器Ｘ１と大部分の構成が共通しており，同一の構成要素については同一番号を付して説明を省略する。
図１１，図１２に示すように，加熱調理器Ｘ４では，前記加熱調理器Ｘ１において前記ファンケーシング５３内に設けられていた前記ヒータ４１の代わりに，前記加熱庫３内の天面３４（天井面）付近に，例えば２次元状に広がる上部ヒータ４２（前記加熱手段の一例）が配置されている。
このように構成により，前記加熱庫３内において，前記上部ヒータ４２によって加熱された高温の熱気が天面３４付近に滞留することなく，強制的にかつ速やかに前記ファンケーシング５３を経由して前記加熱庫３内の底面３３付近に強制循環される。
これにより，ローストチキン等の加熱調理に際して，前記上部ヒータ４２によって熱せられた空気を前記加熱庫３内全域に行き渡らせる前に，その熱を主に天面３４から前記加熱庫３外に放熱してしまうといった非効率を防止できる。さらに，前記上部ヒータ４２からの熱輻射により被調理物９の上側が加熱されるとともに，被調理物の下側も熱風循環によって効率的に加熱することが出来る。
【００２６】
また，前記加熱調理器Ｘ１〜Ｘ３に示した前記ファンケーシング５３内のヒータ４１，４１ａと，本加熱調理器Ｘ４に示した前記上部ヒータ４２とを併設したものも考えられる。
この場合，調理指令の選択により，前記ヒータ４１若しくは４１ａのみを，又は前記上部ヒータ４２のみを，或いは両ヒータを動作（通電）させるよう前記制御部８によって制御することが考えられる。
これにより，ベーク調理やロースト調理等，調理内容に応じて適切な加熱を行うことができ，また，両ヒータを併用することにより，被調理物の下側をさらに良好に加熱することができる。
【００２７】
（第５の実施の形態）
次に，前記加熱調理器Ｘ１の変形例である第５の実施の形態に係る加熱調理器Ｘ５について説明する。
ここで，図１３は加熱調理器Ｘ５の構成を示す正面透視図を表す。
本加熱調理器Ｘ５は，前記加熱調理器Ｘ１と大部分の構成が共通しており，同一の構成要素については同一番号を付して説明を省略する。
本加熱調理器Ｘ５は，前記加熱調理器Ｘ１における前記吸込口７１及び前記吹出口７２，並びにこれに対応する前記ファンケーシング５３とその内部に収容される前記遠心ファン５１，前記ヒータ２１等とを，前記加熱庫３を形成する本体側面側のいずれか一方の側壁３２側，即ち，前記断熱扉２１と対向する壁以外の前記加熱庫３の側壁に設けたものである。
このような構成により，熱風が前記断熱扉２１に向かって送風されないので，加熱中に利用者が誤って前記断熱扉２１を開けた場合でも，利用者へ熱風が直接吹き付けられる危険を防止できる。
特に，前記第２の実施の形態で説明したように，（１）式に示したＦの値がＦ≧１となるように前記吹出口７２からの吹出風速を設定した場合，前記吹出口７２が設けられている壁面と対面する壁面（或いは，前記断熱扉２１）に衝突するような循環気流が生じるので，本体側面側の前記側壁３２に前記ファンケーシング５３等を設けることが好適である。
また，本加熱調理器Ｘ５の構成は，危険防止の面に加え，加熱中に誤って前記断熱扉２１が開かれた場合の熱損失を最小限にするという面でも有効である。
即ち，前記ファンケーシング５３等を前記背面壁３１側に設けた場合，前記断熱扉２１を開けると熱気が強制循環気流によって強制的に前記加熱庫３の外へ放出される。
これに対し，前記ファンケーシング５３等を本体側面側の一方の前記側壁３２側に設けた場合，前記断熱扉２１を開けても，熱風は自然の流れで前記加熱庫３外へ放出されるだけで，強制循環気流によって強制的には放出されない。
以上のことから，加熱調理器Ｘ５の構成によれば，加熱中に誤って前記断熱扉２１が開かれた場合でも，熱気放出による熱損失を最小限に抑えることがでる。その結果，前記加熱庫３内の温度低下を最小限が抑えられ，その後前記断熱扉２１を閉じた後の調理時間の延長を最小限に抑えることができる。
【００２８】
（第６の実施の形態）
次に，前記加熱調理器Ｘ３の他の変形例である第６の実施の形態に係る加熱調理器Ｘ６について説明する。
ここで，図１４は加熱調理器Ｘ６の構成を示す正面透視図，図１５は加熱調理器Ｘ６の側断面図を表す。
本加熱調理器Ｘ６は，前記加熱調理器Ｘ３と大部分の構成が共通しており，同一の構成要素については同一番号を付して説明を省略する。
図１４及び図１５に示すように，本加熱調理器Ｘ６は，送風手段として，前記加熱調理器Ｘ３における前記遠心ファン５１の代わりに，クロスフローファン５５が設けられ，さらに，このクロスフローファン５５の送風様式（通風領域）に合わせて，前記吸込口７１が前記背面壁３１の上端部付近に矩形形状に並べられた複数のパンチング穴によって構成されたものである。その他は，前記加熱調理器Ｘ３と同じ構成である。
このような構成により，前記吸込口７１をさらに天面３４寄りに配置できるとともに，前記背面壁３１（側壁）の水平方向の広い範囲に渡って前記吸込口７１を設けることができるので，天面３４付近の熱気を隅々までより効率的に前記吸込口７１から吸込むことができる。
なお，前記クロスフローファン５５に代えて，前記クロスフローファン５５と同等の直径のシロッコファンを複数配設した送付手段を用いても同様の作用効果を得ることができる。
【００２９】
（第７の実施の形態）
次に，前記加熱調理器Ｘ１の他の変形例である第７の実施の形態に係る加熱調理器Ｘ７について説明する。
本加熱調理器Ｘ７は，前記加熱調理器Ｘ１と大部分の構成が共通しており，同一の構成要素については同一番号を付して説明を省略する。
ここで，図１６は加熱調理器Ｘ７の構成を示す正面透視図を表す。
本加熱調理器Ｘ７は，前記加熱調理器Ｘ１と大部分の構成が共通しており，同一の構成要素については同一番号を付して説明を省略する。
図１６に示すように，加熱調理器Ｘ７は，前記加熱庫３を形成する前記背面壁３３（側壁の一つ）の上下方向中央より上側における左右両端付近に補助吹出口７３（前記第２吹出口の一例）が設けられ，これにより，前記ファンケーシング５３（通風室）が，前記吸込口７１及び前記吹出口７２（第１吹出口）と前記補助吹出口７３とを連通するものとなっている。従って，前記遠心ファン５１（送風手段）が，前記吸込口７１から前記吹出口７２及び前記補助吹出口７３へ空気を強制送風することになる。
このような構成により，前記補助吹出口７３から被調理物９の側面への熱風吹き付けがなされるため，被調理物９の側面の加熱をより好適に行うことができる。
さらに，前記補助吹出口７３からの吹出し気流により左右両側壁付近での空気循環を促進することができる。
特に，前記吸込口７１を前記加熱庫３の水平方向（幅方向）の中央部付近に配置した場合であって，前記加熱庫３の横幅が該加熱庫３の高さに対して比較的長い場合には，前記吹出口７２からの循環気流が左右両側の側壁付近において十分に循環されない恐れがあるため，前記補助吹出口７３による循環促進がより効果的である。
【００３０】
加熱調理器Ｘ７において，前記補助吹出口７３を設けたことにより，上下方向の熱風循環，即ち，前記加熱庫３内において浮力により上昇した高温の熱気を強制的にかつ速やかに前記加熱庫３内の底面３３側に送り出す気流循環を損なわないようにする必要がある。そのためには，前記吹出口７２からの空気の吹出速度をＶｂ，前記補助吹出口７３からの空気の吹出速度をＶｓとしたとき，Ｖｂ＞Ｖｓとすることが望ましい。
この条件を満たさず，前記吸込口７１から吸い込まれた熱気の大部分が前記補助吹出口７３から前記加熱庫３の比較的高い位置へ吹き出されることになり，高温の熱気を前記加熱庫３の下方へ送るという所望の作用効果を得られないことが生じ得る。
さらにこの場合，前記加熱庫３内において，前記補助吹出口７３から前記吸込口７１への循環気流と，前記吹出口７２から前記吸込口７１への上下方向（下から上へ）の循環気流とが互いに干渉せずに，上下方向の循環気流を好適に実現するためには，Ｖｂ＞２・Ｖｓとすることが望ましい。
【００３１】
図２１は，加熱調理器Ｘ７における吹出口からの吹出気流の風速バランスと庫内温度差との関係を表すグラフであり，横軸をＶｂ／Ｖｓの値，縦軸を天面（天井）近傍に対する底面近傍の温度差ｄＴ２（[天面近傍温度の平均値]−[底面近傍温度の平均値]）としたグラフである。
図２１は，Ｖｂ／Ｖｓの値が大きくなる（Ｖｂの比率が増加する）につれ，庫内下部への熱気の輸送が効果的に行われるため，温度差ｄＴ２が小さくなることを示している。
ここで，０≦Ｖｂ／Ｖｓ＜１では，前記補助吹出口７３からの気流による庫内上部での循環が支配的となるため，温度差ｄＴ２が特に大きい。
一方，１＜Ｖｂ／Ｖｓ＜２では，前記第１吹出口からの循環気流により庫内温度を一様にする効果が飽和し始めるため，温度差ｄＴ２の減少率が徐々に少なくなる。さらに，２＜Ｖｂ／Ｖｓでは，前記補助吹出口７３からの循環気流にほとんど影響されず，上記の効果が飽和するため，温度差ｄＴ２は，小さい状態で漸近的にほぼ一定となる。
以上のことから，Ｖｂ＞Ｖｓ（即ち，１＜Ｖｂ／Ｖｓ）とすることが望ましく，さらに，前記補助吹出口７３からの循環気流と，前記吹出口７２からの循環気流とが互いに干渉せずに，上下方向の循環気流を好適に実現するためには，Ｖｂ＞２・Ｖｓ（即ち，２＜Ｖｂ／Ｖｓ）とすることが望ましいといえる。
【００３２】
前記加熱調理器Ｘ１〜Ｘ７に示した前記ファンケーシング５３（通風室）の形状は，図３等に示した直方体形状に限らず，円柱形状やその他の多角柱形状等であってもよい。また，送風手段の送風性能を高めるため，螺旋曲線若しくは複数の円弧の集合により作図されるスクロール形状とすること等も考えられる。
【産業上の利用可能性】
【００３３】
本発明は，加熱調理器への利用が可能である。
【図面の簡単な説明】
【００３４】
【図１】本発明の第１の実施の形態に係る加熱調理器Ｘ１の構成を示す正面透視図。
【図２】加熱調理器Ｘ１の構成を示す側断面図。
【図３】加熱調理器Ｘ１が備えるファンケーシング及び遠心ファン並びにヒータのみを抽出して表した正面図。
【図４】本発明の第２の実施の形態に係る加熱調理器Ｘ２の構成を示す正面透視図。
【図５】加熱調理器Ｘ２の構成を示す側断面図。
【図６】加熱調理器Ｘ２の変形例である加熱調理器Ｘ２’の側断面図。
【図７】本発明の第３の実施の形態に係る加熱調理器Ｘ３の構成を示す正面透視図。
【図８】加熱調理器Ｘ３の側断面図。
【図９】加熱調理器Ｘ３が備えるファンケーシング及び遠心ファン並びにヒータのみを抽出して表した正面図。
【図１０】加熱調理器Ｘ３の変形例である加熱調理器Ｘ３’の側断面図。
【図１１】本発明の第４の実施の形態に係る加熱調理器Ｘ４の構成を示す正面透視図。
【図１２】加熱調理器Ｘ４の側断面図。
【図１３】本発明の第５の実施の形態に係る加熱調理器Ｘ５の構成を示す正面透視図。
【図１４】本発明の第６の実施の形態に係る加熱調理器Ｘ６の構成を示す正面透視図。
【図１５】加熱調理器Ｘ６の側断面図。
【図１６】本発明の第７の実施の形態に係る加熱調理器Ｘ７の構成を示す正面透視図。
【図１７】従来の加熱調理器１の構成を表す正面透視図。
【図１８】加熱調理器１の側断面図。
【図１９】加熱調理器Ｘ１における吹出口からの吹出気流の風速と庫内温度差との関係を表すグラフ。
【図２０】加熱調理器Ｘ１における吹出口からの吹出気流の風速と騒音との関係を表すグラフ。
【図２１】加熱調理器Ｘ７における吹出口からの吹出気流の風速バランスと庫内温度差との関係を表すグラフ。
【図２２】従来の加熱調理器１’の側断面図。
【符号の説明】
【００３５】
１…従来の加熱調理器
２…筐体
３…加熱庫
８…制御部
９…被調理物
２１…断熱扉
３１…背面壁
３２…本体側面側の側壁
３３…底面
３４…天面
４１，４１ａ…ヒータ
４２…上部ヒータ
５１…遠心ファン（送風手段）
５３…ファンケーシング（通風室）
５５…クロスフローファン（送風手段）
７１，７１ａ…吸込口
７２，７２ａ…吹出口（第１吹出口）
７３…補助吹出口（第２吹出口）
８１…操作部
Ｘ１，Ｘ２，Ｘ３、Ｘ４、Ｘ５、Ｘ６、Ｘ７…本発明の実施の形態に係る加熱調理器
Ａ１、Ａ２…熱風の流動経路
【図１】
2005172319.tif 000010
【図２】
2005172319.tif 000011
【図３】
2005172319.tif 000012
【図４】
2005172319.tif 000013
【図５】
2005172319.tif 000014
【図６】
2005172319.tif 000015
【図７】
2005172319.tif 000016
【図８】
2005172319.tif 000017
【図９】
2005172319.tif 000018
【図１０】
2005172319.tif 000019
【図１１】
2005172319.tif 000020
【図１２】
2005172319.tif 000021
【図１３】
2005172319.tif 000022
【図１４】
2005172319.tif 000023
【図１５】
2005172319.tif 000024
【図１６】
2005172319.tif 000025
【図１７】
2005172319.tif 000026
【図１８】
2005172319.tif 000027
【図１９】
2005172319.tif 000028
【図２０】
2005172319.tif 000029
【図２１】
2005172319.tif 000030
【図２２】
2005172319.tif 000031